(57)【要約】【課題】遊技制御装置のワンチップマイクロコンピュータの真偽を、基板ボックスを開かなくても外部から検査できる遊技機を提供する。【解決手段】遊技制御プログラムを格納したワンチップマイクロコンピュータに固有識別情報を格納し、遊技制御基板５は、入出力用コネクタ４０と、固有識別情報を読み出し可能な検査用出力端子３９とを設け、入出力用コネクタ４０は、接続ピンを遊技制御基板５に対して垂直方向に立設して外部接続配線を遊技制御基板５に対して垂直なコネクタ接続方向に接続可能とし、検査用出力端子３９は、当該検査用出力端子３９へ接続される検査用配線の接続方向をコネクタ接続方向とは異なる方向に設定し、基板ボックスの上蓋部材２４は、天井部の一部を階段状とするとともに、この段の下部にコネクタ室６１を形成して検査用出力端子３９を収納し、コネクタ室６１外側側壁のうち検査用出力端子３９に対向する部分に挿通開口部を形成した。【選択図】図７
2008155048.tif 000002
【特許請求の範囲】
【請求項１】
遊技制御プログラムを格納したワンチップマイクロコンピュータを基板ボックス内の遊技制御基板に実装した遊技制御装置を備えた遊技機において、
前記ワンチップマイクロコンピュータには、検査装置により読み取り可能な固有の識別情報を書換え不能に格納し、
前記遊技制御基板は、遊技関連の入出力用コネクタと、前記固有識別情報を読み出し可能な検査用出力端子と、を設け、
前記入出力用コネクタは、当該入出力用コネクタの接続ピンを遊技制御基板に対して垂直方向に立設して外部接続配線を遊技制御基板に対して垂直なコネクタ接続方向に接続可能とし、
前記検査用出力端子は、当該検査用出力端子へ接続される検査用配線の接続方向を前記コネクタ接続方向とは異なる方向に設定し、
前記基板ボックスは、
上蓋部材と底蓋部材とからなり、
前記上蓋部材は、
天井部の一部を階段状とするとともに、この段の下部に凹室を形成し、該凹室内には検査用出力端子を収納し、
前記凹室の外側側壁のうち検査用出力端子に対向する部分を切り欠いて挿通開口部を形成したことを特徴とする遊技機。
【請求項２】
前記検査用出力端子は、側面に開口を有して内部に凹部を形成し、該凹部の内面のうち開口から底面にわたる面にピン状の接点を複数備え、凹部の天井面には、前記検査装置からの検査用配線のプラグに係合可能な抜け止め受部を形成したことを特徴とする請求項１に記載の遊技機。
【請求項３】
前記凹室の側壁を、遊技制御基板から立設された第１阻止壁と、該第１阻止壁を両側から挟む位置に上蓋部材側から垂設された第２阻止壁および第３阻止壁と、から構成したことを特徴とする請求項１または請求項２に記載の遊技機。
【発明の詳細な説明】
【技術分野】
【０００１】
本発明は、ワンチップマイクロコンピュータを使用した遊技制御装置を備えたパチンコ遊技機等の遊技機に関する。
【背景技術】
【０００２】
遊技機、例えばパチンコ遊技機にあっては、遊技制御プログラムを格納したＲＯＭが不正なＲＯＭ、具体的には遊技制御プログラムを不正に改竄して不当に賞球を獲得し易くした不正ＲＯＭと交換されることを防止するために、ＲＯＭ、ＲＡＭ、及びＣＰＵを１つのパッケージ内に設けたいわゆるワンチップマイクロコンピュータを採用している（例えば、特許文献１参照）。
【特許文献１】特開平９−２３４２７２号公報
【発明の開示】
【発明が解決しようとする課題】
【０００３】
しかしながら、ワンチップマイクロコンピュータを採用しても、確実に不正を防止できるとは言えない。例えば、正規のワンチップマイクロコンピュータを取り外して不正なワンチップマイクロコンピュータと交換したり、或は遊技制御装置全体を不正なものと交換されるがことが稀に行われる。そして、ワンチップマイクロコンピュータだけを不正に交換されても、遊技制御装置の外部から発見することは極めて困難なことであり、遊技制御装置の基板ボックスが封印されている昨今の遊技機においては一層困難である。
【０００４】
本発明は上記した現状に鑑み開発されたものであり、その目的は、正規のワンチップマイクロコンピュータを取り外して他のものと不正に交換されたり、遊技制御装置全体を不正に交換された場合に、基板ボックスをその都度開かなくても外部から検査することができる遊技機を提供しようとするものである。また、ワンチップマイクロコンピュータの種類に拘らず基板ボックスを共用できる遊技機を提供しようとするものである。
【課題を解決するための手段】
【０００５】
本発明は、上記目的を達成するために提案されたものであり、請求項１に記載のものは、遊技制御プログラムを格納したワンチップマイクロコンピュータを基板ボックス内の遊技制御基板に実装した遊技制御装置を備えた遊技機において、
前記ワンチップマイクロコンピュータには、検査装置により読み取り可能な固有の識別情報を書換え不能に格納し、
前記遊技制御基板は、遊技関連の入出力用コネクタと、前記固有識別情報を読み出し可能な検査用出力端子と、を設け、
前記入出力用コネクタは、当該入出力用コネクタの接続ピンを遊技制御基板に対して垂直方向に立設して外部接続配線を遊技制御基板に対して垂直なコネクタ接続方向に接続可能とし、
前記検査用出力端子は、当該検査用出力端子へ接続される検査用配線の接続方向を前記コネクタ接続方向とは異なる方向に設定し、
前記基板ボックスは、
上蓋部材と底蓋部材とからなり、
前記上蓋部材は、
天井部の一部を階段状とするとともに、この段の下部に凹室を形成し、該凹室内には検査用出力端子を収納し、
前記凹室の外側側壁のうち検査用出力端子に対向する部分を切り欠いて挿通開口部を形成したことを特徴とする遊技機である。
【０００６】
請求項２に記載のものは、前記検査用出力端子は、側面に開口を有して内部に凹部を形成し、該凹部の内面のうち開口から底面にわたる面にピン状の接点を複数備え、凹部の天井面には、前記検査装置からの検査用配線のプラグに係合可能な抜け止め受部を形成したことを特徴とする請求項１に記載の遊技機である。
【０００７】
請求項３に記載のものは、前記検査用出力端子は、側面に開口を有して内部に凹部を形成し、該凹部の内面のうち開口から底面にわたる面にピン状の接点を複数備え、凹部の天井面には、前記検査装置からの検査用配線のプラグに係合可能な抜け止め受部を形成したことを特徴とする請求項１または請求項２に記載の遊技機である。
【発明の効果】
【０００８】
本発明によれば、以下のような優れた効果を奏する。
すなわち、遊技制御プログラムを格納したワンチップマイクロコンピュータを基板ボックス内の遊技制御基板に実装した遊技制御装置を備えた遊技機において、前記ワンチップマイクロコンピュータには、検査装置により読み取り可能な固有の識別情報を書換え不能に格納し、前記遊技制御基板は、遊技関連の入出力用コネクタと、前記固有識別情報を読み出し可能な検査用出力端子とを設け、前記入出力用コネクタは、当該入出力用コネクタの接続ピンを遊技制御基板に対して垂直方向に立設して外部接続配線を遊技制御基板に対して垂直なコネクタ接続方向に接続可能とし、前記検査用出力端子は、当該検査用出力端子へ接続される検査用配線の接続方向を前記コネクタ接続方向とは異なる方向に設定し、前記基板ボックスは、上蓋部材と底蓋部材とからなり、前記上蓋部材は、天井部の一部を階段状とするとともに、この段の下部に凹室を形成し、該凹室内には検査用出力端子を収納し、前記凹室の外側側壁のうち検査用出力端子に対向する部分を切り欠いて挿通開口部を形成したので、検査用出力端子に検査装置からの検査用配線を接続して、当該遊技機のワンチップマイクロコンピュータが正規のものであるか否かを簡単且つ確実に検査することができ、しかも、基板ボックスを開くことなく検査用出力端子に検査用配線を接続することができる。また、凹室を形成することにより外部からピアノ線等を挿入されることを防止でき、不正行為を防止することができる。さらに、検査用出力端子と入出力用コネクタとで誤った接続、すなわち配線接続ミスを未然に確実に防止することができる。
【発明を実施するための最良の形態】
【０００９】
以下、本発明の実施の形態を図面に基づいて説明する。
図１は代表的な遊技機であるパチンコ遊技機（以下、単にパチンコ機１という。）の背面図、図２は遊技制御ユニット２および電源供給ユニット３の斜視図、図３は共通のベース部材４に遊技制御ユニット２と電源供給ユニット３を取り付ける前の状態の斜視図、図４は遊技制御手段である遊技制御ユニット２の遊技制御基板５の斜視図である。
【００１０】
パチンコ機１は、機枠６の前面開口部分に額縁状の前面枠７を開閉可能に取り付け、この前面枠７の開口部分を裏側から塞ぐようにして遊技盤９を取り付け、この遊技盤９の表面に、ガイドレール等の区画部材により区画して形成した遊技領域（図示せず）内に、入賞具、始動口に入賞することを条件として図柄合わせ遊技等の別遊技を行う特別図柄表示装置、別遊技で大当りになると開く大入賞口などを設けてある。また、前面枠７の裏側に裏機構盤１０を取り付け、この裏機構盤１０に球貯留タンク１１、球導出樋１２、球排出ユニット１３などを取り付けるとともに、各種の制御装置を取り付ける。
【００１１】
本実施形態では、制御装置を機能別に分けてそれぞれ別個のケース（基板ボックス）に収納してユニット化し、遊技制御ユニット２、表示制御ユニット１４、装飾制御ユニット１５、音制御ユニット１６、排出制御ユニット１７、及び、発射制御ユニット１９とし、中継基板２０や配線２１を介して各制御ユニットを電気的に接続している。なお、これらの制御ユニットは、それぞれを独立した状態で取り付ける。
【００１２】
遊技制御ユニット２は、遊技領域に配設された入賞具、始動口、特別図柄表示装置（特図表示装置）、大入賞口などの電気部品を統括的に制御する制御装置である。また、表示制御ユニット１４は、可変表示による別遊技を行うための特図表示装置の画像表示を制御する制御装置である。装飾制御ユニット１５は、サイドランプ等の発光装飾部材の発光を制御する制御装置である。音制御ユニット１６は、効果音を生成する等、音に関する制御を行う制御装置である。排出制御ユニット１７は、上記した球排出ユニット１３を制御し、所定数の遊技球を排出させる制御装置である。発射制御ユニット１９は、発射操作部の回動量に応じて球発射装置を制御し、回動量に対応した強さで遊技球を発射させる制御装置である。
【００１３】
遊技制御ユニット２は、図１から図３に示すように、下部にヒンジ機構２２を、上部に閉状態保持用の係止具２３を有する上蓋部材２４と底蓋部材２５からなる遊技制御基板ケース（基板ボックス）２６の内部に遊技制御基板５を収納したもので、係止具２３側と一側（電源供給ユニット３側）に封止機構の一部として設けたかしめ部材２７をワンウエイネジで締着することにより封止することができ、遊技制御基板ケース２６の他側（電源供給ユニット３とは反対側）には、遊技制御基板ケース２６の外部に露出して他の制御ユニット等に接続するための配線接続領域３０を備え、この配線接続領域３０にはコネクタカバー３１を別途着脱可能に取り付けてある。
【００１４】
底蓋部材２５は、透明なプラスチック製の上面開放の浅い箱状体であり、無数の小孔を開設した底面部の四周（遊技制御基板５を収納し得る大きさ）から低い側壁を立設するとともに、ヒンジ機構２２の一部を構成する軸受部、係止具２３の一部を構成する受片、かしめ部材２７の一部を構成する連結筒部などを一体成型し、底面部の内側に、遊技制御基板５を支持する突起状の連通部（図示せず）を設けてある。
【００１５】
上蓋部材２４は、底蓋部材２５と同様に透明なプラスチック製の下面開放の箱状体であり、無数の小孔を開設した天井部（遊技制御基板５の配線接続領域３０を除いた実装領域を収納し得る大きさ）２４ａの四周から側壁２４ｂを垂設するとともに、ヒンジ機構２２の一部を構成する軸部、係止具２３の一部を構成する係止突部、かしめ部材２７の一部を構成する連結筒部、配線２１を一時的に束ねる鈎状のケーブルフック３２などを一体成型してある。そして、側壁２４ｂには、後述する検査用出力端子に対応した部位に、検査用配線貫通開口部としての切欠部３３を形成してある。
【００１６】
なお、封止機構は、上蓋部材２４と底蓋部材２５とを一旦閉状態に止着して閉操作したならば、その後は開操作を受け付けず、かしめ部材２７の基端を切断するなどして、破損しない限り開くことができない機能を備えていればどのような構成でもよい。
【００１７】
遊技制御基板５は、閉じた基板ボックス２６の上蓋部材２４により覆われる実装領域３４にＲＯＭ、ＲＡＭ、及びＣＰＵを１つのチップとして構成したワンチップマイクロコンピュータ（ワンチップマイコン）３５を始めとして他の電子部品３６が実装され、ワンチップマイコン３５内のＲＯＭに遊技制御プログラム及び当該ワンチップマイコン３５固有の識別情報が書換え不能に格納されており、一側に形成した配線接続領域３０に、遊技関連の入出力用コネクタ４０を配線接続領域３０の左右ほぼ中央に二列×２の６個並べて取り付け、閉じた上蓋部材２４の側壁２４ｂに内側から臨む実装領域３４に、上記固有識別情報を読み出し可能な検査用出力端子３９が設けられている。そして、本実施形態では、遊技関連の入出力用コネクタ４０には、遊技制御基板５に対して垂直方向に接続ピンを立設して外部接続配線２１を遊技制御基板５に垂直方向（コネクタ接続方向）に接続する形式のコネクタを使用し、検査用出力端子３９には、入出力用コネクタ４０とは異なる形式であって検査用配線の接続方向も異なるタイプのコネクタを使用する。
なお、検査用出力端子３９は、遊技制御基板５上であって、後述する検査装置側に寄せた位置に配置して、検査用配線の接続方向に向けることが望ましい。そして、本実施形態では、後述するように、排出制御ユニット１７の背面に検査装置を配置してあるので、検査用出力端子３９は排出制御ユニット１７側に配置してある。
【００１８】
この検査用出力端子３９は、いわゆるモジュラーと呼ばれるコネクタであり、図５に示すように、側面に開口を有して内部に凹部４１を形成した略立方体形であり、凹部４１の内面（具体的には開口から底面にわたる面）に、ピン状の接点４２を複数（本実施形態では６つ）備えており、凹部４１の天井面には抜け止め受部４３が形成され、この抜け止め受部４３に、検査用配線４４の先端に設けたプラグ４５の抜け止め部４６が係合するように構成してある。なお、このモジュラータイプのコネクタは、検査用配線４４の絶縁被覆自体をプラグ４５に固着し、このプラグ４５の抜け止め部４６と前記抜け止め受部４３との係合により、検査用出力端子３９を遊技制御基板５に確実に固定してあれば検査用配線４４を引っ張っても抜け難く、導通状態を確実に維持することができる。
【００１９】
また、検査用出力端子３９の凹部４１の開口は、図６に示すように、遊技球４７の大きさよりも小さく設定されており、遊技球４７が開口に当接しても、凹部４１内に入り込むことはない。したがって、接点４２間が遊技球４７によって短絡されることもない。なお、本実施形態では図６に示すように、上蓋部材２４の切欠部３３の大きさを遊技球４７よりも小さく開口してあり、また、検査用出力端子３９の開口部の縁部分の接点４２は、溝４９内に収納されて突出していないので、遊技球により短絡するトラブルは発生しない。
【００２０】
上記した構成からなる遊技制御基板５を上蓋部材２４と下蓋部材２５とからなる遊技制御基板ケース（基板ボックス）２６内に収納すると、図３に示すように、上蓋部材２４の左右寸法が下蓋部材２５よりも小さいので、この大きさの違い分だけ遊技制御基板５の一部、すなわち配線接続領域３０が外部に露出する。したがって、かしめ部材２７等の封止機構により上蓋部材２４と下蓋部材２５とを閉じた状態で封止した後であっても、遊技関連の入出力用コネクタ４０に、表示制御ユニット１４、装飾制御ユニット１５、音制御ユニット１６、排出制御ユニット１７などとの間を電気的に接続する外部配線２１の各コネクタを、遊技関連入出力用コネクタ４０にそれぞれ差し込むことができる。
【００２１】
また、本実施形態では、排出制御ユニットの背面に検査装置５０を取り付けてあるので、この検査装置５０からの検査用配線４４を検査用出力端子３９に接続する。具体的には、検査用配線４４の先端に設けたプラグ４５を基板ボックス２６の側壁２４ｂに開口している切欠部３３から検査用出力端子３９に差し込んで接続する。
【００２２】
そして、前記した配線接続作業が終了したならば、コネクタカバー３１を配線接続領域３０に取り付けることにより、入出力用コネクタ４０等を覆い隠すことができ、落下してきた遊技球が各コネクタに当たらないように保護することができる。
【００２３】
また、本発明においては、検査用出力端子３９に検査装置５０からの検査用配線４４を接続すると、遊技制御ユニット（遊技制御装置）２のワンチップマイコン３５の真偽を検査することができる。検査装置５０は、本実施形態では、工場の出荷段階でパチンコ機１に取り付けられているが、例えば遊技店の管理室に設置して、遊技機設置島に、パチンコ機１ごとの検査用配線４４を予め設けおき、遊技機設置島にパチンコ機１を設置してから検査用配線４４を接続してもよい。そして、検査装置５０が管理室内や管理装置に設けられている場合には、遊技機設置島に設けた検査用配線４４を接続し易いように、検査用出力端子３９は遊技制御基板５上の上部に配置するとともに、検査用配線４４を上方から接続し易いように接続開口を上向きにすることが望ましい。
いずれの場合であっても、検査用配線４４を遊技制御装置２に接続する際に、かしめ部材２７等の封止機構により上蓋部材２４と下蓋部材２５とを閉じた状態で封止した後であってもできる。しかも、検査用出力端子３９は基板ボックス２６の内部に設けられているので、短時間に不正な配線を接続することは殆ど困難であり、したがって、営業中における上記不正行為を構造上防止することができる。
また、検査用出力端子３９と遊技関係の入出力用コネクタ４０とでは、配線２１，４４の接続方向が異なるので、誤った接続、すなわち配線接続ミスを未然に確実に防止することができる。
【００２４】
この様にして、検査用出力端子３９に検査用配線４４を接続すると、検査装置５０により、パチンコ機１に取り付けられている遊技制御ユニット２内のワンチップマイコン３５の固有識別情報を読み出す（すなわち、読み取る）ことができる。
【００２５】
検査装置５０には、遊技制御装置２ごとに、すなわちパチンコ機１ごとに別個付与した固有の識別情報に対応した情報が予め記憶されているので、この読み出した固有識別情報を照合することにより当該パチンコ機１の遊技制御装置２（正確にはその遊技制御装置２のワンチップマイコン３５）が正規のものであるか否かを簡単に検査できる。そして、読み出した固有識別情報が検査装置５０の情報と一致していれば、当該パチンコ機１の遊技制御装置２が正規のもの、すなわち正規のワンチップマイコン３５であると判断し、適正表示器５１が点灯あるいは点滅表示し、一致しなかった場合には、不正なものであると判断して不適正表示器５２が点灯あるいは点滅表示する。したがって、ワンチップマイコン３５を不正に交換したり、遊技制御装置２自体を交換した場合には、読み出された固有の識別情報が検査装置５０の情報と一致することがなく、不正なものと判断される。なお、図１中、符号５３は、検査開始操作スイッチである。
【００２６】
また、本実施形態では、遊技制御装置２のワンチップマイコン３５に格納されている遊技制御プログラムも検査用出力端子３９から識別情報と共に読み出すことができる。そして、検査装置５０には、機種毎の基準となる遊技制御プログラムが格納されている。したがって、パチンコ機１の遊技制御装置２から読み出した遊技制御プログラムと検査装置５０の基準遊技制御プログラムとを比較し、一致すれば正規なものであると判断し、不一致であれば改竄された不正遊技制御プログラムであると判断することができる。なお、遊技制御プログラムの検査は、固有識別情報が一致して正規の遊技制御装置２であると判断されたことを前提として行なうことが望ましく、判断結果が適正表示器５１又は不適正表示器５２に可視表示される。
【００２７】
なお、前記実施形態では検査用出力端子３９にモジュラータイプのコネクタを挙げて説明したが、本発明における検査用出力端子３９はこれに限定されるものではなく、検査装置５０に対して電気的に接続できてワンチップマイコン３５の識別情報を読み出すことができればどのような形式でもよい。
【００２８】
また、本実施形態では、固有識別情報を格納したワンチップマイコン３５を使用したので、遊技制御基板５に検査用出力端子３９を設け、基板ボックス２６に切欠部３３を形成したが、固有識別情報を格納していないワンチップマイコン３５を使用するパチンコ機もあり、この場合には検査用出力端子３９が不要であることは勿論のこと、基板ボックス２６に切欠部３３などの検査用配線接続開口部が開口していると、却ってこの開口部から不正行為が行われるおそれがある。このため、固有識別情報を格納しているか否かに拘らず共通使用できる基板ボックス２６であることが望ましい。
そこで、いずれにおいても使用することができる基板ボックス２６の実施形態について説明する。
【００２９】
図７から図１０に示す実施形態では、基板ボックス２６に、外側から内側に窪んでその底面部分に遊技制御基板５の一部が露出可能な凹室を形成し、基板ボックス２６を閉じた状態で凹室の底面部分となる遊技制御基板５に、検査用出力端子３９を取付可能な端子取付部を設定したものである。
【００３０】
具体的な構成を説明すると、図７及び図８に示すように、上蓋部材２４の天井部２４ａの一部（配線接続領域とは反対側の一部）を階段状とするとともに、最下段の部分に、凹室として、コネクタ側壁６０で囲んだコネクタ室６１を形成し、このコネクタ室６１の外側側壁の部分を矩形に切り欠いて挿通開口部６２を検査用配線貫通開口部として形成する。そして、遊技制御基板５には、上蓋部材２４を閉じた状態で前記コネクタ室６１の底面部分となる部分を端子取付部と設定し、ここに検査用出力端子３９を取り付ける。なお、本実施形態では、前記実施形態とは異なる構成の検査用出力端子３９を使用しており、検査用配線４４の先端にコネクタ６３を設け、このコネクタ６３が接続するコネクタ受部６４を検査用出力端子３９として使用する。
【００３１】
コネクタ６３はコネクタ受部６４内に嵌合することにより両者の接点が導通して電気的に接続するものであり、ロック機構により接続状態を保持する。本実施形態におけるロック機構は、図９に示すように、コネクタ４２側に一体成型により設けた係止部６５と、コネクタ受部６４側に一体成型により設けた係止受部６６とからなる。
【００３２】
係止部６５は、コネクタ６３の上面のほぼ中央から立設した弾性部としての弾性支持片６７と、この弾性支持片６７の上端から前方（コネクタ６３の接続方向）に突出する状態で一体成型した係止片６９と、弾性支持片６７の上端から係止片６９の仮想延長線上に後方（コネクタ６３の離脱方向）に向けて突設した操作部７０とからなり、係止片６９の先端には左右方向に突設した摺動係止部を有する。
【００３３】
一方、係止受部６６は、一部を切り欠いた天井面のほぼ中央に前記係止片６９が丁度進入し得る間隔をあけて左右に係止突起を隆設し、この係止突起の手前側、すなわちコネクタ６３側に傾斜摺動部として傾斜面が形成されている。
【００３４】
上記した基板ボックス２６においては、上蓋部材２４を閉じると、図８（ｂ）及び図１０（ａ）に示すように、遊技制御基板５に取り付けたコネクタ受部６４がコネクタ室６１内に収納された状態で上蓋部材２４により覆われ、かしめ部材２７により封止した状態でパチンコ機１に取り付ける。そして、この状態で配線接続領域３０の遊技関連の各入出力用コネクタ４０に所定の配線２１を接続することは前記実施形態と同様であり、コネクタ室６１内のコネクタ受部６４に検査用配線４４のコネクタ６３を接続する。
【００３５】
このコネクタ６３の接続を具体的に説明すると、コネクタ６３の先端を、遊技制御基板ケース２６の挿通開口部６２を介してコネクタ受部６４の嵌合開口に臨ませ、さらにコネクタ６３を前進させてコネクタ６３の先端部分をコネクタ受部６４の嵌合開口内に挿入し、さらに前進させると係止部６５の摺動係止部がコネクタ受部６４の傾斜面に当接する。そして、さらに前進させると、コネクタ６３の前進に伴い傾斜面が摺動係止部を解ロック方向である上方に変位させる。引き続き、電気的に接続する位置まで十分に前進させると、摺動係止部が係止突起を通過した時点で弾性支持片６７の弾性により摺動係止部が下降して係止突起の背面に係止し、ロック状態となる。
【００３６】
このロック状態では、係止片６９の摺動係止部が係止突起の背面に係止しているので、コネクタ６３が引っ張られても外れることがなく、接続状態を保持する。したがって、検査装置５０により当該パチンコ機１の遊技制御装置２の真偽を検査することができる。なお、操作部７０を下方に押圧しながら手前に引くと、コネクタ６３をコネクタ受部６４から外すことができる。
【００３７】
前記基板ボックス２６は、固有識別情報を格納したワンチップマイコン３５を使用した場合には前記の通り遊技制御基板５に検査用出力端子３９（コネクタ受部６４）を設けて使用することができる。
【００３８】
一方、固有識別情報を格納していないワンチップマイコン３５を使用した場合であっても、なんら不都合が生じることなく使用することができる。すなわち、図１０（ｂ）に示すように、挿通開口部６２が開口してコネクタ室６１が空であっても、コネクタ側壁６０がピアノ線等の侵入を阻止するので、不正行為を防止できる。したがって、前記基板ボックス２６は、いずれのワンチップマイコン３５を使用したパチンコ機１であっても、何等不都合を生じることなく共通使用が可能である。
【００３９】
なお、凹室（例えば、コネクタ室６１）は、上蓋部材２４の天井部２４ａの一部を階段状にするものに限らず、図１１に示すように、上蓋部材２４の側壁２４ｂに検査用配線貫通開口部を開設するとともに、該開口部の開口縁を内側に延設して凹室を形成してもよい。また、基板ボックス２６の外部から検査用出力端子３９に接続する検査用配線４４を通す部分を除いた検査用出力端子３９の周りに、双方から起立した阻止壁を重合して外部からの侵入物を阻止する不正防止部材７１を設けてもよい。図１１に示す実施形態では、遊技制御基板５から第１阻止壁７１ａを立設し、この第１阻止壁７１ａを両側から挟む位置に第２，第３阻止壁７１ｂ，７１ｃを上蓋部材２４側から垂設し、第１，第２，第３阻止壁７１ａ，７１ｂ，７１ｃにより不正防止部材７１を構成してある。したがって、検査用配線貫通開口部からピアノ線等を差し込もうとしても、ピアノ線等の先端がいずれかの阻止壁７１ａ，７１ｂ，７１ｃに当たって侵入が阻止され、不正行為を防止することができる。
【００４０】
また、遊技制御基板５には、基板ボックス２６を閉じた状態で基板ボックス２６によって覆われる実装領域３４と覆われない配線接続領域３０を設定し、実装領域３４の遊技制御基板５に電子部品３６を実装するとともに、検査用出力端子３９を実装可能な端子取付部を設定し、配線接続領域３０に遊技関連の入出力用コネクタ４０を設け、上記端子取付部に対応する基板ボックス２６の所定部位に、脆弱部を形成し、固有識別情報を格納したワンチップマイコン３５を使用した場合には端子取付部に検査用出力端子３９を実装するとともに、脆弱部を破断することにより、端子取付部に対応する基板ボックス２６の所定部位に検査用配線貫通開口部を開設し、固有情報を格納していないワンチップマイコン３５を使用した場合には脆弱部を判断することなく使用するように構成してもよい。
【００４１】
例えば、遊技制御基板５の実装領域３４に端子取付部を設定し、この端子取付部に対応する上蓋部材２４に、図１２（ａ）に示す脆弱部７２を形成してもよい。この脆弱部７２は、検査用出力端子３９を囲む大きさで肉薄な部分７３を四角形に点在させたものである。したがって、固有識別情報を格納していないワンチップマイコン３５を使用した場合には、脆弱部７２をそのままにして検査用配線貫通開口部を開設することなく基板ボックス２６を使用することができる。
【００４２】
一方、固有識別情報を格納したワンチップマイコン３５を使用した場合には、脆弱部７２を指等により押圧すると、肉薄な部分７３から破断して、全体として四角形の検査用配線貫通開口部が開設される。したがって、この検査用配線貫通開口部を通して、遊技制御基板５の端子取付部に実装した検査用出力端子３９に検査用配線４４を接続することができる。
【図面の簡単な説明】
【００４３】
【図１】パチンコ機の背面図である。
【図２】遊技制御ユニット（遊技制御装置）および電源供給ユニットの斜視図である。
【図３】共通のベース部材に遊技制御ユニットと電源供給ユニットを取り付ける前の状態の斜視図である。
【図４】遊技制御基板の斜視図である。
【図５】検査用出力端子の斜視図である。
【図６】検査用出力端子と遊技球の大きさの違いを示す説明図である。
【図７】上蓋部材の側壁に凹室を形成した基板ボックスの開いた状態における斜視図である。
【図８】（ａ）は基板ボックスを閉じる前の凹室の断面図、（ｂ）は基板ボックスを閉じてコネクタを検査用出力端子であるコネクタ受部に接続した状態の凹室の断面図である。
【図９】（ａ）はコネクタを検査用出力端子であるコネクタ受部に接続する前の状態の斜視図、（ｂ）はコネクタを検査用出力端子であるコネクタ受部に接続した状態の斜視図である。
【図１０】（ａ）は検査用出力端子を取り付けた凹室の断面図、（ｂ）は検査用出力端子を取り付けない凹室の断面図である。
【図１１】不正防止部材を設けた凹室の断面図である。
【図１２】（ａ）は破断しない脆弱部の平面図、（ｂ）は脆弱部を破断して開設した検査用配線貫通開口部の平面図である。
【符号の説明】
【００４４】
１  パチンコ機
２  遊技制御ユニット（遊技制御装置）
３  電源供給ユニット
４  ベース部材
５  遊技制御基板
６  機枠
７  前面枠
９  遊技盤
１０  裏機構盤
１１  球貯留タンク
１２  球導出樋
１３  球排出ユニット
１４  表示制御ユニット
１５  装飾制御ユニット
１６  音制御ユニット
１７  排出制御ユニット
１９  発射制御ユニット
２０  中継基板
２１  配線
２２  ヒンジ機構
２３  係止具
２４  上蓋部材
２４ａ  天井部
２４ｂ  側壁
２５  下蓋部材
２６  遊技制御ケース（基板ボックス）
２７  かしめ部材
３０  配線接続領域
３１  コネクタカバー
３２  ケーブルフック
３３  切欠部
３４  実装領域
３５  ワンチップマイクロコンピュータ
３６  電子部品
３９  検査用出力端子
４０  入出力用コネクタ
４１  凹部
４２  接点
４３  抜け止め受部
４４  検査用配線
４５  プラグ
４６  抜け止め部
４７  遊技球
４９  溝
５０  検査装置
５１  適正表示器
５２  不適正表示器
５３  検査開始操作スイッチ
６０  コネクタ側壁
６１  コネクタ室
６２  挿通開口部
６３  コネクタ
６４  コネクタ受部
６５  係止部
６６  係止受部
６７  弾球支持片
６９  係止片
７０  操作部
７１  阻止壁
７２  脆弱部
７３  肉薄部分
【図１】
2008155048.tif 000003
【図２】
2008155048.tif 000004
【図３】
2008155048.tif 000005
【図４】
2008155048.tif 000006
【図５】
2008155048.tif 000007
【図６】
2008155048.tif 000008
【図７】
2008155048.tif 000009
【図８】
2008155048.tif 000010
【図９】
2008155048.tif 000011
【図１０】
2008155048.tif 000012
【図１１】
2008155048.tif 000013
【図１２】
2008155048.tif 000014